(57)【要約】【課題】  ドアガラスの振動時でもガラスラン本体部内で、ドアガラスの先端を確実に保持することができるガラスランを得ることである。【解決手段】  ガラスラン１０は、車外側側壁２０と、車内側側壁３０と、底壁４０とからなる断面略Ｕ字形の本体部を有し、車内側側壁３０を軟質材で構成し、車外側側壁２０と底壁４０を車内側側壁の軟質材よりも硬度が高い硬質材で形成し、車内側側壁をドアフレーム２に固着されたチャンネル３で保持し、車外側側壁と車内側側壁の先端から延出する車外側ガラスシールリップ２１と車内側ガラスシールリップ３１をそれぞれ軟質材で形成し、車外側ガラスシールリップと車内側ガラスシールリップによりドアガラス５の端部の車外側面及び車内側面をシールしたことを特徴とする自動車用ガラスランである。【選択図】        図  １
2006281838.tif 000002
【特許請求の範囲】
【請求項１】
自動車ドアのドアフレームの内周に取付けられ、ドアガラスの昇降を案内する自動車用ガラスランにおいて、
上記ドアフレームのガラスランを装着する部分は、断面略Ｌ字形で形成され、
上記ガラスランの本体部は、車外側側壁と、車内側側壁と、底壁とからなる断面略Ｕ字形をなし、上記底壁の少なくとも上記車内側側壁との連続部位は略Ｌ字形に形成され、上記車内側側壁は、その硬度がＩＲＨＤ７０°〜８０°の材料で構成され、上記車外側側壁と底壁とは、上記車内側側壁の材料よりも硬度が高いＩＲＨＤ８５°〜９５°の材料で形成され、
上記車内側側壁および／または上記底壁は上記ドアフレームに固着されたチャンネルで保持され、
上記車外側側壁と車内側側壁の先端から、それぞれ上記断面略Ｕ字状の本体部の内側に向かって延出する車外側ガラスシールリップと車内側ガラスシールリップとがそれぞれ硬度ＩＲＨＤ７０°〜８０°の材料で形成され、該車外側ガラスシールリップと車内側ガラスシールリップにより上記ドアガラスの端部の車外側面及び車内側面をシールしたことを特徴とする自動車用ガラスラン。
【請求項２】
上記ガラスランは、上記車内側側壁の外面において、その先端付近と、上記底壁の車内側側壁との連続部分付近で上記ドアフレームの断面略Ｌ字形の一方の辺に固着されたチャンネルにより係止され、上記底壁の外面が上記ドアフレームの断面略Ｌ字形の他の辺に当接して保持される請求項１に記載の自動車用ガラスラン。
【請求項３】
上記車外側側壁の外面は、硬度ＩＲＨＤ７０°〜８０°の材料で被覆されている請求項１または請求項２に記載の自動車用ガラスラン。
【請求項４】
上記車外側側壁と底壁との連続部位の外面には、硬度ＩＲＨＤ７０°〜８０°の材料で形成された車外側パネルシールリップがドアフレーム方向に延出し、該車外側パネルシールリップがドアフレームと当接する請求項１乃至請求項３のいずれかに記載の自動車用ガラスラン。
【請求項５】
上記底壁の内面には、硬度ＩＲＨＤ７０°〜８０°の材料で形成された底壁リップが上記断面略Ｕ字状の本体部の内側に形成されている請求項１乃至請求項４のいずれかに記載の自動車用ガラスラン。
【請求項６】
上記硬度ＩＲＨＤ７０°〜８０°の材料は、ＥＰＤＭゴムまたはオレフィン系熱可塑性エラストマーであり、上記硬度ＩＲＨＤ８５°〜９５°の材料はＥＰＤＭゴム、オレフィン系熱可塑性エラストマーまたはオレフィン系の合成樹脂である請求項１乃至請求項５のいずれかに記載の自動車用ガラスラン。
【請求項７】
上記車外側ガラスシールリップおよび車内側ガラスシールリップの表面に低摺動部材が形成されている請求項１乃至請求項６のいずれかに記載の自動車用ガラスラン。
【発明の詳細な説明】
【技術分野】
【０００１】
本発明は、自動車のドアのドアフレームの内周に取付けられ、ドアガラスの昇降を案内する自動車用ガラスランに関するものであり、特に、ドアフレームの内周にガラスランを取り付けるチャンネルが、ガラスランの車外側側壁を保持する部分を設けずに、ガラスランの車外側側壁が直接車外側に露出するガラスランに関する。
【背景技術】
【０００２】
図２に示すように、自動車のドア１のドアフレーム２の内周に、ドアガラス５の昇降を案内するガラスラン１１０が取付けられている。その従来の取付構造を図３に示す。図３は、図２におけるＡ−Ａ線に沿った断面図である。
【０００３】
従来、ガラスラン１１０は、図２に示すように、ドアフレーム２のチャンネル３内に取付けられて、ドアガラス５の昇降を案内するとともにドアガラス５とドアフレーム２との間をシールしている。さらに、ガラスラン１１０は、押出成形により成形された直線状の直線部１１１からなるドア１の上辺部とフロント側縦辺部及びリヤ側縦辺部を、ドアフレーム２の形状に合わせて型形成するコーナー部１１２で接続している。
なお、ドア１と車体との間のシールは、図３に示すように、ドアフレーム２の外周に取付けられたドアウエザストリップ１０８および／または車体の開口部のフランジに取付けられたオープニングトリムウエザストリップ１０９によりなされている。
【０００４】
また、ガラスラン１１０は、車外側側壁１２０と、車内側側壁１３０と、底壁１４０からなる断面略Ｕ字状をなしている。車外側側壁１２０の先端付近から車外側シールリップ１２６が上記断面略Ｕ字状の内側に向けて延出するように設けられている。また、車内側側壁１３０にもその先端付近から車内側シールリップ１３６が断面略Ｕ字状の内側に向けて延出するように設けられている。さらに、車外側側壁１２０の車外側の外面の先端付近から車外側側壁１２０と平行に底壁１４０方向に車外側モールリップ１２４が延設され、車内側側壁１３０の車内側の外面の先端付近から車内側側壁１３０と平行に底壁１４０方向に車内側モールリップ１３４が延設されている。
【０００５】
車外側側壁１２０、車内側側壁１３０と底壁１４０はドアフレーム２に設けられたチャンネル３内に挿入され、各壁の外面がチャンネル３の内面に当接される。車外側側壁１２０と車外側モールリップ１２４の間にチャンネル３の側端部とドアフレーム２のアウターパネル２ｃの先端部が挿入され、車内側側壁１３０と車内側モールリップ１３４の間にチャンネル３の側端部とインナーパネル２ｄの先端部が挿入され、ガラスラン１１０を保持している。
【０００６】
ドアガラス５は、このガラスラン１１０の断面略Ｕ字状の本体部の内側を摺動するとともに、上記車外側シールリップ１２６と車内側シールリップ１３６によってドアガラス５の端部の両側面がシールされて保持されている。
ドアガラス５を閉じるとき、パワーウインドのレギュレータによってドアガラス５がドアフレーム２の縦辺部に沿って上昇し、ドアガラス５の上端がドアフレーム２の上辺に装着されているガラスラン１１０の上辺の本体部内に挿入され、底壁１４０に当り、底壁１４０はチャンネル３の底壁１４０に当り、チャンネル３内でガラスラン１１０を介して保持される。
【０００７】
しかしながら、図４に示すように、自動車の見栄えの向上やドアフレーム２の構造上の制約のために、ガラスラン１１０の車外側側壁１２０を短くして、車内側側壁１３０を長くすることが行われている（例えば、特許文献１参照。）。
さらに、見栄えの向上のためにドアフレーム２の車外側の幅を狭くすることや、ドアフレーム２の車外側部分をなくすることも試みられている。この場合は、ガラスラン１１０の車外側側壁１２０の剛性が低いと、自動車の振動等に伴うドアガラス５の振動で、ガラスラン１１０の車外側側壁１２０が変形し、ドアガラス５がガラスラン１１０から外れてしまう恐れがあった。
【０００８】
このため、ガラスラン１１０の剛性を増加するために、車外側側壁１２０、車内側側壁１３０および底壁１４０の内部に補強材としてインサートを埋設することも行なわれている（例えば、特許文献２参照。）。
しかしながら、インサートを埋設するとガラスラン１１０の重量が増加し、車両の軽量化を損なうこととなるとともに、インサートとゴムとを同時押出するため、製造も複雑となり、コストも増大し、生産効率が低下した。
【０００９】
また、ドアフレーム２の車外側の側面に取付けたモール１５０により、ガラスラン１１０車外側側壁１２０を押えることも行なわれているが、上記と同様の不具合がある。
【特許文献１】特開２０００−２８０７５３号公報
【特許文献２】実公平４−９２０４号公報
【発明の開示】
【発明が解決しようとする課題】
【００１０】
このため、ドアガラスの上昇時のドアガラスの先端がガラスランの本体部内に挿入したときに、ドアガラスが振動しても、ドアガラスの先端を確実に保持することができるガラスランを得ることが必要であった。
【課題を解決するための手段】
【００１１】
上記課題を解決するために請求項１の本発明は、自動車ドアのドアフレームの内周に取付けられ、ドアガラスの昇降を案内する自動車用ガラスランにおいて、
ドアフレームのガラスランを装着する部分は、断面略Ｌ字形で形成され、ガラスランの本体部は、車外側側壁と、車内側側壁と、底壁とからなる断面略Ｕ字形をなし、底壁の少なくとも上記車内側側壁との連続部位は略Ｌ字形に形成され、車内側側壁は、その硬度がＩＲＨＤ７０°〜８０°の材料で構成され、車外側側壁と底壁とは、車内側側壁の材料よりも硬度が高いＩＲＨＤ８５°〜９５°の材料で形成され、車内側側壁および／または底壁はドアフレームに固着されたチャンネルで保持され、車外側側壁と車内側側壁の先端から、それぞれ断面略Ｕ字状の本体部の内側に向かって延出する車外側ガラスシールリップと車内側ガラスシールリップとがそれぞれ硬度ＩＲＨＤ７０°〜８０°の材料で形成され、車外側ガラスシールリップと車内側ガラスシールリップによりドアガラスの端部の車外側面及び車内側面をシールしたことを特徴とする自動車用ガラスランある。
【００１２】
請求項１の本発明では、ドアフレームのガラスランを装着する部分は、断面略Ｌ字形で形成されているため、断面略Ｕ字形に形成する場合と比べて断面形状が簡単になり、ドアフレームの成形が容易である。
ガラスランの本体部は、車外側側壁と、車内側側壁と、底壁とからなる断面略Ｕ字形をなしたため、ドアガラスの上昇時に、車外側側壁と、車内側側壁と、底壁とからなる断面略Ｕ字状のガラスランの内側にドアガラスの先端を収納することができ、ドアガラスを確実に保持することができる。
底壁の少なくとも車内側側壁との連続部位は略Ｌ字形に形成されたため、ドアフレームのガラスランを装着する部分の形状と適合し、確実に装着することができる。
【００１３】
車内側側壁は、その硬度がＩＲＨＤ７０°〜８０°の材料で構成し、車外側側壁と底壁とは、車内側側壁の材料よりも硬度が高いＩＲＨＤ８５°〜９５°の材料で形成したため、車外側側壁と底壁はドアガラスの先端を保持する充分な剛性を有している。車内側側壁は、ガラスランをチャンネルに保持する強度を有することができるとともに、ドアガラスと当接した場合においても充分な柔軟性を有しており、確実にシールすることができる。
【００１４】
また、車内側側壁をその硬度がＩＲＨＤ７０°〜８０°の材料で構成し、車外側側壁と底壁を車内側側壁の軟質材よりも硬度が高いその硬度がＩＲＨＤ７０°〜８０°の材料で形成したため、車外側側壁の剛性を増加させることでき、自動車の振動等でドアガラスの先端がガラスランの内部から外れることを防止できる。
車内側側壁および／または底壁はドアフレームに固着されたチャンネルで保持したため、ガラスランをドアフレームの断面略Ｌ字形の内部に保持することができる。
【００１５】
車外側側壁と車内側側壁の先端から、それぞれ断面略Ｕ字状の本体部の内側に向かって延出する車外側ガラスシールリップと車内側ガラスシールリップとがそれぞれ硬度ＩＲＨＤ７０°〜８０°の材料で形成され、車外側ガラスシールリップと車内側ガラスシールリップによりドアガラスの端部の車外側面及び車内側面をシールした。このため、ドアガラスが上昇してガラスランの内部に侵入したときに、車外側ガラスシールリップと車内側ガラスシールリップが柔軟にドアガラスに当接することができ、ガラスランの上昇がスムースにできる。また、ドアガラスの昇降に応じて、ガラスシールリップがドアガラスに当接し、車外側ガラスシールリップと車内側ガラスシールリップによりドアフレームとドアガラスとの間のシールを確実にすることができる。
【００１６】
請求項２の本発明は、ガラスランは、車内側側壁の外面において、その先端付近と、底壁の車内側側壁との連続部分付近でドアフレームの断面略Ｌ字形の一方の辺に固着されたチャンネルの両側端により係止され、底壁の外面がドアフレームの断面略Ｌ字形の他の辺に当接して保持される自動車用ガラスランである。
【００１７】
請求項２の本発明では、ガラスランは、車内側側壁の外面において、その先端付近と、底壁の車内側側壁との連続部分付近でドアフレームの断面略Ｌ字形の一方の辺に固着されたチャンネルの両側端により係止される。このため、車内側側壁と底壁を併せて保持することができ、ガラスランを安定して保持することができる。
底壁の外面がドアフレームの断面略Ｌ字形の他の辺に当接されるため、底壁がドアフレームに密着して車外側側壁のズレを防止することができる。
【００１８】
請求項３の本発明は、車外側側壁の外面は、硬度がＩＲＨＤ７０°〜８０°の材料で被覆されている自動車用ガラスランである。
【００１９】
請求項３の本発明では、車外側側壁は硬度がＩＲＨＤ８５°〜９５°の材料硬質材で形成され、車外側ガラスシールリップは硬度がＩＲＨＤ７０°〜８０°の材料軟質材で形成されているが、車外側側壁の外面は、硬度がＩＲＨＤ７０°〜８０°の材料で被覆されているため、車外側側壁と車外側ガラスシールリップの接続部分を被覆することができ、見栄えがよい。
【００２０】
請求項４の本発明は、車外側側壁と底壁との連続部位の外面には、硬度ＩＲＨＤ７０°〜８０°の材料で形成された車外側パネルシールリップがドアフレーム方向に延出し、車外側パネルシールリップがドアフレームと当接する自動車用ガラスランである。
【００２１】
請求項４の本発明では、車外側側壁と底壁との連続部位の外面には、硬度ＩＲＨＤ７０°〜８０°の材料で形成された車外側パネルシールリップがドアフレーム方向に延出し、車外側パネルシールリップがドアフレームと当接するこのため、ガラスランをドアフレームに装着したときに、軟質材で形成された車外側パネルシールリップがドアフレームとガラスランの間の隙間を塞ぎ、シールすることができる。
【００２２】
請求項５の本発明は、底壁の内面には、硬度ＩＲＨＤ７０°〜８０°の材料で形成された底壁リップが断面略Ｕ字状の本体部の内側に形成されている自動車用ガラスランである。
【００２３】
請求項５の本発明では、底壁の内面に、硬度ＩＲＨＤ７０°〜８０°の材料で形成された底壁リップが断面略Ｕ字状の内側に向かって形成されているため、ドアガラスが上昇し、ドアフレームの上辺に装着されたガラスランの内部に侵入したときに、ドアガラスの先端が底壁リップに当接し、底壁リップの弾性により衝撃を吸収することができ、ドアガラスの先端が底壁に衝突し、異音が発生することがない。
【００２４】
請求項６の本発明は、硬度ＩＲＨＤ７０°〜８０°の材料は、ＥＰＤＭゴムまたはオレフィン系熱可塑性エラストマーであり、硬度ＩＲＨＤ８５°〜９５°の材料は、ＥＰＤＭゴム、オレフィン系熱可塑性エラストマーまたはオレフィン系の合成樹脂である自動車用ガラスランである。
【００２５】
請求項６の本発明では、硬度ＩＲＨＤ７０°〜８０°の材料は、ＥＰＤＭゴムまたはオレフィン系熱可塑性エラストマーであり、硬度ＩＲＨＤ８５°〜９５°の材料は、ＥＰＤＭゴム、オレフィン系熱可塑性エラストマーまたはポリプロピレン樹脂である。このため、上記の軟質材と硬質材のいずれの部分も同種類の材料であり、両者が強固に密着できるとともに、一緒に粉砕してリサイクル利用が可能であり、軟質材と硬質材の両方とも耐候性に優れたガラスランを得ることができる。
【００２６】
請求項７の本発明は、車外側ガラスシールリップおよび車内側ガラスシールリップの表面に低摺動部材が形成されている自動車用ガラスランである。
【００２７】
請求項７の本発明では、車外側ガラスシールリップおよび車内側ガラスシールリップの表面に低摺動部材が形成されているため、ドアガラスが上昇してガラスランの内部に侵入するときに、車外側ガラスシールリップおよび車内側ガラスシールリップとスムースに摺動して、異音が発生することがない。
【発明の効果】
【００２８】
車内側側壁を、硬度ＩＲＨＤ７０°〜８０°の材料で構成し、車外側側壁と底壁を、硬度ＩＲＨＤ８５°〜９５°の材料で形成したため、底壁と車外側側壁とで枠状となし、車外側側壁の剛性を増加させることでき、自動車の振動等でドアガラスの先端がガラスランの内部から外れることを防止できる。
車外側側壁と車内側側壁の先端から、それぞれ断面略Ｕ字状の本体部の内側に向かって延出する車外側ガラスシールリップと車内側ガラスシールリップをそれぞれ、硬度ＩＲＨＤ７０°〜８０°の材料は軟質材で形成したため、車外側ガラスシールリップと車内側ガラスシールリップが柔軟にドアガラスに当接することができ、車外側ガラスシールリップと車内側ガラスシールリップによりドアフレームとドアガラスとの間のシールを確実にすることができる。
【発明を実施するための最良の形態】
【００２９】
本発明の実施の形態を図１と図２に基づき説明する。
図２は自動車のドア１の側面図である。図１は、本発明の実施の形態におけるドアフレーム２に装着されたガラスラン１０の断面図であり、図２のＡ−Ａ線に沿った部分の断面図である。
【００３０】
図２に示すように、自動車のドア１のベルトラインより上部にはドアフレーム２が設けられ、ドアガラス５が昇降自在に取付けられる。即ち、ドアフレーム２の内周には、ガラスラン１０が取付けられ、ドアガラス５の昇降を案内するとともに、ドアガラス５とドアフレーム２との間をシールしている。このとき、ドアフレーム２は、後述するように、ガラスラン１０を保持するチャンネル３が設けられている。
【００３１】
ガラスラン１０は、全体として押出成形で形成された略直線状の直線部１１と、ドアフレーム２のコーナー部に取付けられ、その直線部１１を接続し型成形で形成されるコーナー部１２からなる。
直線部１１は、ドアフレーム２の上辺に取付けられる部分と、ドアフレーム２のリヤ側縦辺に取付けられる部分と、ドアフレーム２のフロント側縦辺に取付けられる部分とからなり、本実施の形態では、特に、ドアフレーム２の上辺に取付けられる部分に関するものを例にとり説明する。
【００３２】
直線部１１が装着されるドアフレーム２の上辺には、図１に示すように、ドアフレーム２のアウターパネル２ｂとインナーパネル２ｃのそれぞれの先端が重ねあわされるようにしてガラスラン１０を収納する開口を形成する。
ドアフレーム２の上辺において、亜鉛製、アルミニウム製またはステンレス製のアウターパネル２ｂは、断面が略Ｌ字形に形成され、Ｌ字形の一方の辺はドアフレーム２に対して上部平坦面を形成し、他方の辺は、ドアフレーム２に対して車外側に開口する側部平坦面を形成する。アウターパネル２ｂの上部平坦面には、後述するように、ガラスラン１０がその底壁４０を当接させるように配置される。なお、ドアフレーム２の上辺において、アウターパネル２ｂは、モール部材から形成されてもよい。
【００３３】
アウターパネル２ｂの上部平坦面の車外方向先端は、上方に屈曲してパネルモール部２ｄとなりドアフレーム２の車外側の面を形成している。パネルモール部２ｄの先端には保護トリム２ｆが取付けられている。
アウターパネル２ｂの断面略Ｌ字形の側部平坦面には、断面略Ｕ字形のチャンネル３が溶接やビス止めで固着されている。チャンネル３の先端は、それぞれ断面略Ｕ字形の内部方向に屈曲しており、ガラスラン１０に設けられた凹部に嵌め込まれて、ガラスラン１０を保持する。言い換えれば、ガラスラン１０の車内側側壁３０に設けられたチャンネル保持リップ３４、３６、３７が断面略Ｖ字形のチャンネル３内に嵌め込まれ、特に、チャンネル保持リップ３４、３７が上記チャンネル３の先端の屈曲部位と係合して、ガラスラン１０がチャンネル３に保持される。
【００３４】
アウターパネル２ｂの車内側には、ドアフレーム２の強度を上げるために、断面略Ｕ字形の板金製のリンフォース４が設けられている。
リンフォース４の車内側には、板金製のインナーパネル２ｃが形成されている。さらに、インナーパネル２ｃの内部には、樹脂製のガーニッシュが設けられている。図１ではガーニッシュの下部の先端部分が記載されている。インナーパネル２ｃの上側の先端には、保護トリム２ｆとの間に、リップ状のドアウエザストリップ（図示せず）が装着されて、車体開口部との間をシールしている。なお、ガーニッシュの下側の先端は、屈曲してガラスラン１０の車内側側壁３０を保持している。
【００３５】
ガラスラン１０は、車外側側壁２０、車内側側壁３０と底壁４０からなる断面略Ｕ字形の本体部を有している。車外側側壁２０と底壁４０は硬度ＩＲＨＤ８５°〜９５°の材料（硬質材）で形成され、車内側側壁３０は硬度ＩＲＨＤ７０°〜８０°の材料（軟質材）で形成されている。なお、底壁４０の車内側側壁３０との連続部位は断面略Ｌ字形に形成され、この部位も上記硬質材で形成されている。車外側側壁２０、車内側側壁３０と底壁４０の内部には補強材としてのインサートが埋設されていない。このため、ガラスラン１０の軽量化を図ることができる。
車外側側壁２０は、先端から断面略Ｕ字形の内部方向に斜めに延設された車外側ガラスシールリップ２１が形成されている。車外側ガラスシールリップ２１は、上記の軟質材で形成されている。この軟質材は、車外側ガラスシールリップ２１から連続して、車外側側壁２０の外面を被覆し、その先端は、車外側パネルシールリップ２２を形成している。
【００３６】
車外側パネルシールリップ２２は、車外側側壁２０と底壁４０との連続部位の車外側側壁の外面に軟質材で形成され、ガラスラン１０がドアフレーム２に装着されたときに、車外側パネルシールリップ２２がドアフレーム２のアウターパネル２ｂの車外側の端部と当接する。このため、車外側パネルシールリップ２２がドアフレーム２のアウターパネル２ｂとガラスラン１０の底壁４０との間の隙間を塞ぎ、ガラスラン１０とドアフレーム２の間のシールすることができる。
【００３７】
底壁４０は、上記のように車内側側壁３０との連続部位で断面略Ｌ字形に形成され、車外側側壁２０と一体に硬質材で形成される。そして、車外側側壁２０と底壁４０とで略チャンネル状に形成され、しかも硬質材で形成されているため、車外側側壁２０と底壁４０の剛性を増加させることでき、変形しにくいため、ドアガラス５の先端を保持する力が強く、インサートが埋設されていなくても自動車の振動等でドアガラス５の先端も振動し、ガラスラン１０の本体部の内部から外れることを防止することができる。
【００３８】
また、底壁４０には、車内側側壁３０との連続部分の断面略Ｌ字形の部分から、ガラスラン１０の本体部の内側に向かって底壁リップ４１が形成される。底壁リップ４１は、車内側側壁３０から連続して軟質材で形成される。このため、ドアガラス５が上昇し、その先端がドアフレーム２の上辺に装着されたガラスラン１０の本体部の内部に挿入したときに、ドアガラス５の先端が底壁リップ４１に当接し、底壁リップ４１の弾性によりドアガラス５の先端の衝撃を吸収することができ、ドアガラス５による異音の発生を防止することができる。
【００３９】
底壁４０の車内側側壁３０との連続部位の外面には底壁チャンネル凹部４２が形成されている。底壁チャンネル凹部４２の周囲には、上気した断面略Ｌ字形の底壁補強部４３が形成され、底壁補強部４３は、底壁４０から連続して硬質材で形成されている。このため、ガラスラン１０がドアフレーム２に装着されたときに、底壁チャンネル凹部４２内にチャンネル３の一方の先端が嵌挿されるが、底壁補強部４３で強固に、保持されるため、ドアガラス５の昇降によって、チャンネル３から外れることはない。
なお、本実施の形態では、底壁チャンネル凹部４２を底壁４０に形成したが、チャンネル３の一方の先端が嵌挿される凹部を車内側側壁３０の外面に設けてもよい。
【００４０】
車内側側壁３０は、軟質材で形成され、底壁４０との連続部分の内面では、前述の底壁リップ４１と連続して形成され、外面では底壁チャンネル凹部４２の付近まで延設されて、車内側チャンネル保持リップ３７を形成している。
車内側側壁３０の先端には、断面略Ｕ字形の内部に向かって車内側ガラスシールリップ３１が形成されている。車内側ガラスシールリップ３１は、ドアフレーム２の構造上車内側の部分が大きくなるため、車外側ガラスシールリップ２１よりも大きく形成されている。
なお、車内側側壁３０には、上記したようにチャンネル保持リップ３４、３６も上記の軟質材で一体に形成されている。
【００４１】
また、車内側ガラスシールリップ３１と車外側ガラスシールリップ２１のドアガラス５と当接する外面には、シリコーン塗料、ウレタン塗料、ポリエチレン薄膜等の低摺動部材が塗布または接着されている。このため、ドアガラス５が上昇してガラスラン１０の内部に挿入するときに、車外側ガラスシールリップ２１および車内側ガラスシールリップ３１とドアガラス５とがスムースに摺動して、異音が発生することがない。
なお、この低摺動部材は、底壁リップ４１の表面にも塗布または接着することが好ましい。
【００４２】
車内側側壁３０の先端の車内側ガラスシールリップ３１と反対側には、車内側カバーリップ３２が形成されている。車内側カバーリップ３２は、上記したガーニッシュの端部を覆うことができ、美観を向上させることができる。また、車内側ガラスシールリップ３１と車内側カバーリップ３２が連続してドアガラス５の先端を案内することができ、ドアガラス５の先端が若干、車内側にずれてもガラスラン１０の本体部の内部に導入することができる。
なお、車内側カバーリップ３２の表面にも低摺動部材を塗布または接着することが好ましい。
車内側カバーリップ３２の裏面と車内側側壁３０の先端との間に車内側パネル凹部３３を設けることができる。車内側パネル凹部３３には、ガーニッシュの先端を嵌挿させて、ガラスラン１０を保持することができる。
【００４３】
車内側側壁３０の車内側面は、柔軟性を向上させ、軽量化を図るために凹面状に形成してもよい。これにより車内側側壁３０をチャンネル３に装着しやすくなる。
また、上記したように車内側側壁３０にチャンネル３に当接するチャンネル保持リップ３６を設けてもよい。このチャンネル保持リップ３６は、ガラスラン１０を保持するとともに、ガラスラン１０とチャンネル３の間をシールすることができる。
【００４４】
次に、ガラスラン１０の製造方法について説明する。
ガラスラン１０の成形においては、直線部１１の成形材料の硬度ＩＲＨＤ７０°〜８０°の材料は、合成ゴム、熱可塑性エラストマー、軟質合成樹脂が使用され、硬度ＩＲＨＤ８５°〜９５°の材料硬質材は合成ゴム、熱可塑性エラストマー、合成樹脂が使用される。例えば合成ゴムでは、ＥＰＤＭゴム、熱可塑性エラストマーでは、オレフィン系エラストマー、ＥＶＡ、軟質合成樹脂では、軟質ポリエチレン等が使用されるが、ＥＰＤＭゴム、オレフィン系熱可塑性エラストマーが好ましく、リサイクルが容易である。
【００４５】
直線部１１の成形は、押出成形機により直線状に成形した後に、所定寸法に切断される。
熱可塑性エラストマー、軟質合成樹脂の場合は、加硫せずに冷却され固化される。合成ゴムの場合は、押出成形後に加硫槽に搬送されて、熱風や高周波等により加熱されて加硫が行われる。
なお、上記車外側シールリップと車内側シールリップのドアガラスが当接する表面には、シリコーン樹脂、ウレタン塗料、オレフィン系熱可塑性エラストマー（ＴＰＯ）等の低摺動部材が塗布されたり、押出成形時に薄層押出成形により一体に形成されている。
次に、コーナー部１２を形成する型成形部分の成形は、上記により所定寸法に切断された直線部１１の端部を、型成形部分を成形する金型に挟持して、その金型のキャビティーに型成形部分を形成するソリッド材を注入する。型成形部分の断面形状は押出成形部分の断面形状と略同じである。成形材料は、押出成形部分に使用した材料と同じ種類のものを使用することが好ましいが、硬度ＩＲＨＤ７０°〜８０°の材料または硬度ＩＲＨＤ８５°〜９５°の材料のうちどちらか一方の材料だけで成形する。熱可塑性エラストマー、軟質合成樹脂の場合は、金型に注入されたときに注入材料は溶融されているため、その熱と圧力とで押出成形部分と型成形部分は一体的に融着される。
【００４６】
合成ゴムの場合は、金型に注入した後に金型を加熱して加硫する。このとき、押出成形部分と型成形部分は同じ材料あるいは同種類の材料を使用して加硫接着をすることができるため、一体的に固着する。なお、押出成形部分を合成ゴムで形成した場合にも、型成形部分を熱可塑性エラストマーで形成することもできる。
【図面の簡単な説明】
【００４７】
【図１】本発明の実施の形態であるガラスランの断面図であり、図２のＡ−Ａ線に沿った部分の断面図である。
【図２】自動車ドアの側面図である。
【図３】従来のドアフレームに取付けられたガラスランの断面図であり、図３のＡ−Ａ線に沿った部分の断面図である。
【図４】従来の他のガラスランの断面図である。
【符号の説明】
【００４８】
２  ドアフレーム
３  チャンネル
５  ドアガラス
１０  ガラスラン
２０  車外側側壁
２１  車外側ガラスシールリップ
２２  車外側パネルシールリップ
３０  車内側側壁
３１  車内側ガラスシールリップ
４０  底壁
４１  底壁リップ
【図１】
2006281838.tif 000003
【図２】
2006281838.tif 000004
【図３】
2006281838.tif 000005
【図４】
2006281838.tif 000006